(57)【要約】【課題】自建物に設定される電動ブラインドが投影物によって投影される日影内にある場合に日影に対応した電動ブラインドの開度の制御を行う日影制御のために、電動ブラインドの設定位置が日影内にあるかどうかを簡単に判定できるようにする。【解決手段】自建物の壁面に投影される日影を形成する複数の線分を表す情報を読み出し、電動ブラインドと自建物との位置関係を表す情報から電動ブラインドの設定位置を決定し、電動ブラインドの設定位置と定点との間を結ぶ線分と、前記日影を形成する全ての線分との交点の総和を求め、その総和が奇数であればその設定位置は日影内にあると判定し、総和が偶数であればその設定位置は日影外にあると判定する。【選択図】図４
2008050915.tif 000002
【特許請求の範囲】
【請求項１】
自建物に設定される電動ブラインドが投影物によって投影される日影内にある場合に日影に対応した電動ブラインドの開度の制御を行う日影制御のために、電動ブラインドの設定位置が日影内にあるかどうかを判定する電動ブラインドのための日影判定方法であって、
前記投影物によって自建物の壁面に投影される日影を形成する複数の線分を表す情報が格納された記憶部から該線分を表す情報を読み出し、
前記自建物の壁面における電動ブラインドの位置を表す情報が格納された記憶部から該情報を読み出して、電動ブラインドの設定位置を決定し、
電動ブラインドの設定位置と前記壁面と同一平面上にある定点との間を結ぶ線分と、前記日影を形成する全ての線分との交点の総和を求め、その総和が奇数であればその設定位置は日影内にあると判定し、総和が偶数であればその設定位置は日影外にあると判定する、
ことを特徴とする電動ブラインドのための日影判定方法。
【請求項２】
前記電動ブラインドの設定位置は、電動ブラインドまたは同じ動作を行う電動ブラインドのグループの四隅位置の少なくとも１つであることを特徴とする請求項１記載の電動ブラインドのための日影判定方法。
【請求項３】
前記電動ブラインドの位置を表す情報は、電動ブラインドの自建物の壁面に対する取付位置の基準になる基準点の位置の情報であり、前記記憶部には、さらに電動ブラインドまたは同じ動作を行なう電動ブラインドの幅及び高さの情報が格納されており、前記電動ブラインドの設定位置の決定は、基準点と幅及び高さとからの加減算により決定されることを特徴とする請求項１または２記載の日影判定方法。
【請求項４】
自建物に設定される電動ブラインドが投影物によって投影される日影内にある場合に日影に対応した電動ブラインドの開度の制御を行う日影制御のために、電動ブラインドの設定位置が日影内にあるかどうかを判定する電動ブラインドのための日影判定装置であって、
前記投影物によって自建物の壁面に投影される日影を形成する複数の線分を表す情報と、前記自建物の壁面における電動ブラインドの位置を表す情報と、が格納された記憶部と、
前記記憶部から前記日影を形成する複数の線分を表す情報を読み出す手段と、
前記記憶部から前記電動ブラインドと自建物との位置関係を表す情報を読み出して、電動ブラインドの設定位置を決定する手段と、
電動ブラインドの設定位置と前記壁面と同一平面上にある定点との間を結ぶ線分と、前記日影を形成する全ての線分との交点の総和を求め、その総和が奇数であればその設定位置は日影内にあると判定し、総和が偶数であればその設定位置は日影外にあると判定する手段と、
を備えることを特徴とする電動ブラインドのための日影判定装置。
【請求項５】
前記電動ブラインドの設定位置は、電動ブラインドまたは同じ動作を行う電動ブラインドのグループの四隅位置の少なくとも１つであることを特徴とする請求項４記載の電動ブラインドのための日影判定装置。
【請求項６】
前記電動ブラインドの位置を表す情報は、電動ブラインドの自建物の壁面に対する取付位置の基準になる基準点の位置の情報であり、前記記憶部には、さらに電動ブラインドまたは同じ動作を行なう電動ブラインドの幅及び高さの情報が格納されており、前記電動ブラインドの設定位置の決定は、基準点と幅及び高さとからの加減算により決定されることを特徴とする請求項４または５記載の日影判定装置。
【発明の詳細な説明】
【技術分野】
【０００１】
本発明は、自建物に設定される電動ブラインドが投影物によって投影される日影内にある場合に日影に対応した電動ブラインドの開度の制御を行う日影制御のために、電動ブラインドの設定位置が日影内にあるかどうかを判定する電動ブラインドのための日影判定方法及び日影判定装置に関する。
【背景技術】
【０００２】
従来、この種の日影判定方法または装置としては、特許文献１に記載されたものが知られている。該特許文献１に記載されたものでは、第一の建物の壁面に投影される日影の座標データを算出し、日影の座標データと窓の隅部の座標データとに基づいて、窓の四隅の座標が日影の座標の範囲内に位置するか否かを予め設定された計算プログラムに基づいて算出することにより、窓が日影内に位置するか否かを判定し、日影内に位置する場合に、窓が設置された電動ブラインドの日影制御を行うようにしたものである。
【０００３】
特許文献１の判定方法の一例を、図１０を用いて説明する。第二の建物により第一の建物に投影される日影の図形Ｆ１を求め、その頂点の座標ｐ０〜ｐ３を求める。そして、窓の四隅の一つの点ＷＰのＸ座標ＷＸを通り、Ｘ軸に垂直な線Ｌ１を引く。
【０００４】
次いで、図形Ｆ１の輪郭を構成する線分と、線Ｌ１の交点Ｔ０、Ｔ１の座標を求める。点ＷＰのＹ座標ＷＹがＴ０のＹ座標とＴ１のＹ座標の間にあれば、点ＷＰは日影の図形Ｆ１内に位置することになる。また、交点Ｔ０、Ｔ１が存在しない場合には、点ＷＰは日影の図面Ｆ１外に位置することになる。
【０００５】
尚、Ｔ０のＹ座標をＴＹとすると、ＴＹは次式で求められる。
ＴＹ＝Ｙ０＋（Ｙ１−Ｙ０）×（ＷＸ−Ｘ０）／（Ｘ１−Ｘ０）
ここで、Ｘ０はｐ０のＸ座標、Ｙ０はｐ０のＹ座標、Ｘ１はｐ１のＸ座標、Ｙ１はｐ１のＹ座標である。そして、窓Ｗの四隅の点について、このような計算を繰り返し、四隅がすべて図形Ｆ１内に位置すれば、窓Ｗは日影内に位置すると判定している。
【０００６】
また、図１１に示すように、日影の図形Ｆ２が内側に凸となる角を備えた多角形となる場合には、点ＷＰのＸ座標ＷＸを通りＸ軸に垂直な線と日陰の図形との交点は、４個以上存在する可能性がある。この交点をＹ座標の大きい順または小さい順に並べ替え、これを番号Ｔ０〜Ｔ３とすると、交点Ｔ０とＴ１との間は図形Ｆ２の内となり、交点Ｔ１とＴ２との間は図形Ｆ２の外となり、交点Ｔ２とＴ３との間は図形Ｆ２の内となる。点ＷＰのＹ座標がどの交点の間に位置するかを算出することにより、点ＷＰが図形Ｆ２内に位置するか否かを判定する。そして、窓Ｗの四隅の点について、このような計算を繰り返し、四隅がすべて図形Ｆ２内に位置すれば、窓Ｗは日影内に位置すると判定している。
【０００７】
【特許文献１】特許第３５６１２２４号公報
【発明の開示】
【発明が解決しようとする課題】
【０００８】
即ち、以上の従来の日影判定方法では、日影の図形と、窓の四隅の点を通るＸ軸に垂直な線との交点と、を求めて、その交点の大小を並べ替えて、各交点間が日影であるか否かを判定する、といった処理が必要となり、その処理が複雑であるという問題がある。
【０００９】
また、従来の日影判定方法では、窓の四隅が日影の図形内に位置するときに、日影に対応した電動ブラインドの開度の制御を行っているが、昨今は、大きな開口部を有する建物が増えており、大きな一つの窓に対して複数台の電動ブラインドが取り付けられていることが珍しくない。このような状況で、窓の四隅を基準として日影判定を行ってしまうと、その窓に取り付けられた電動ブラインドは全て同じ判定となってしまうため、例えば、一部の電動ブラインドしか日影外に位置していない時でも、全ての電動ブラインドが日影外に位置するものとして判定されてしまい、日が当たっていないにも拘らず、採り入れる外光が少なくなってしまう、という問題がある。
【００１０】
この発明は上記のような課題を解決するためになされたもので、その目的は、日影内にあるかどうかの判定をより簡単に行うことができる電動ブラインドのための日影判定方法及び日影判定装置を提供することである。
【００１１】
また、他の目的は、大きな開口部に複数の電動ブラインドが設定されている場合に、個別に日影判定を行うようにすることができる日影判定方法及び日影判定装置を提供することである。
【課題を解決するための手段】
【００１２】
前述した目的を達成するために、請求項１記載の発明は、自建物に設定される電動ブラインドが投影物によって投影される日影内にある場合に日影に対応した電動ブラインドの開度の制御を行う日影制御のために、電動ブラインドの設定位置が日影内にあるかどうかを判定する電動ブラインドのための日影判定方法であって、
前記投影物によって自建物の壁面に投影される日影を形成する複数の線分を表す情報が格納された記憶部から該線分を表す情報を読み出し、
前記自建物の壁面における電動ブラインドの位置を表す情報が格納された記憶部から該情報を読み出して、電動ブラインドの設定位置を決定し、
電動ブラインドの設定位置と前記壁面と同一平面上にある定点との間を結ぶ線分と、前記日影を形成する全ての線分との交点の総和を求め、その総和が奇数であればその設定位置は日影内にあると判定し、総和が偶数であればその設定位置は日影外にあると判定する、
ことを特徴とする。
【００１３】
前記電動ブラインドの設定位置は、自建物の窓の四隅位置の少なくとも１つとすることができるが、請求項２記載の発明は、請求項１記載の前記電動ブラインドの設定位置が、電動ブラインドまたは同じ動作を行う電動ブラインドのグループの四隅位置の少なくとも１つであることを特徴とする。
【００１４】
請求項３記載の発明は、請求項１または２記載の前記電動ブラインドの位置を表す情報が、電動ブラインドの自建物の壁面に対する取付位置の基準になる基準点の位置の情報であり、前記記憶部には、さらに電動ブラインドまたは同じ動作を行なう電動ブラインドの幅及び高さの情報が格納されており、前記電動ブラインドの設定位置の決定は、基準点と幅及び高さとからの加減算により決定されることを特徴とする。
【００１５】
請求項４記載の発明は、自建物に設定される電動ブラインドが投影物によって投影される日影内にある場合に日影に対応した電動ブラインドの開度の制御を行う日影制御のために、電動ブラインドの設定位置が日影内にあるかどうかを判定する電動ブラインドのための日影判定装置であって、
前記投影物によって自建物の壁面に投影される日影を形成する複数の線分を表す情報と、前記自建物の壁面における電動ブラインドの位置を表す情報と、が格納された記憶部と、
前記記憶部から前記日影を形成する複数の線分を表す情報を読み出す手段と、
前記記憶部から前記電動ブラインドと自建物との位置関係を表す情報を読み出して、電動ブラインドの設定位置を決定する手段と、
電動ブラインドの設定位置と前記壁面と同一平面上にある定点との間を結ぶ線分と、前記日影を形成する全ての線分との交点の総和を求め、その総和が奇数であればその設定位置は日影内にあると判定し、総和が偶数であればその設定位置は日影外にあると判定する手段と、
を備えることを特徴とする。
【００１６】
前記電動ブラインドの設定位置は、自建物の窓の四隅位置の少なくとも１つとすることができるが、請求項５記載の発明は、請求項４記載の前記電動ブラインドの設定位置が、電動ブラインドまたは同じ動作を行う電動ブラインドのグループの四隅位置の少なくとも１つであることを特徴とする。
【００１７】
請求項６記載の発明は、請求項４または５記載の前記電動ブラインドの位置を表す情報が、電動ブラインドの自建物の壁面に対する取付位置の基準になる基準点の位置の情報であり、前記記憶部には、さらに電動ブラインドまたは同じ動作を行なう電動ブラインドの幅及び高さの情報が格納されており、前記電動ブラインドの設定位置の決定は、基準点と幅及び高さとからの加減算により決定されることを特徴とする。
【発明の効果】
【００１８】
本発明によれば、日影がどのような形状であったとしても、電動ブラインドの設定位置と定点との間を結ぶ線分と、日影を形成する全ての線分との交点の総和を求め、その総和が奇数か偶数かで、前記設定位置が日影内にあるかどうかを判定することができるので、簡単な処理で日影判定を行なうことができるようになる。
【００１９】
請求項２及び５記載の発明によれば、電動ブラインドの四隅を日影判定を行なう設定位置とすることによって、大きな開口部に個別的に動作可能な複数の電動ブラインドが取付けられている場合に、それぞれの電動ブラインドに対して日影にあるかどうかを判断することができるので、各電動ブラインドに応じて適切な動作をさせることができ、室内に外光を多く採り入れるように制御することができるようになる。
【００２０】
請求項３及び６記載の発明によれば、基準点の位置と電動ブラインド等の幅及び高さの情報から加減算により前記設定位置が決定されることから、設定位置についてすべての情報を記憶部に格納させる必要がなく、入力の手間を省力化することができる。
【発明を実施するための最良の形態】
【００２１】
以下、図面を用いて本発明の実施の形態を説明する。
図１は、本発明による日影判定方法を実施する日影判定装置のブロック図である。
【００２２】
日影判定装置１０は、ＣＰＵ、ＲＯＭ及びＲＡＭを備え、所定のプログラムに従って処理を実行する制御部１１と、各種プログラム及びファイルを格納する記憶部１２と、記憶媒体駆動装置１４と、マウス、キーボードといった入力装置１５と、表示装置１８と、を備えたコンピュータで構成される。
【００２３】
日影判定装置１０の記憶部１２に記憶されるファイルとしては、電動ブラインド構成ファイル１２２、電動ブラインド座標データファイル１２４、日影ファイル１２６、日影判定装置１０によって判定される日影判定結果を格納する日影判定ファイル１２８、を挙げることができる。
【００２４】
電動ブラインド構成ファイル１２２には、図２（ａ）に示すように、フロア、ユニットＮｏ、ブラインド機種名、ブラインド幅Ｗ、ブラインド高さＨ、面ＩＤといった自建物に設定される電動ブラインド２４または同じ動作を行なう電動ブラインドのグループ（以下、これらをまとめてユニットと称する）の構成に関する情報が格納される。面ＩＤは、自建物の電動ブラインドが設定される壁面を識別するものである。
【００２５】
電動ブラインド座標データファイル１２４には、図２（ｂ）に示すように、フロア、ユニットＮｏ．面ＩＤ、左上の隅のＸ座標、左上の隅のＹ座標の各ユニットの基準点の座標に関する情報が格納される。基準点となる左上の隅のＸ、Ｙ座標と、電動ブラインド構成ファイル１２２のブラインド幅Ｗ、ブラインド高さＨの情報とを組み合わせることにより、各ユニットの四隅の座標、つまり設定位置が決まる。即ち、図３に示すように、電動ブラインド座標データファイル１２４では、ユニットの四隅（Ｘ１，Ｙ１）、（Ｘ２，Ｙ２）、（Ｘ３，Ｙ３）、（Ｘ４，Ｙ４）の内、基準点として（Ｘ１，Ｙ１）が入力され、他の座標（Ｘ２，Ｙ２）、（Ｘ３，Ｙ３）、（Ｘ４，Ｙ４）は、ブラインド幅Ｗ、ブラインド高さＨを加減算することで自動的に演算することができ、これによって四隅全ての入力が省略できるようになっている。また、この演算時に、オフセット値を設けて、実際のブラインド幅Ｗ、ブラインド高さＨに対してオフセット値を増減するようにすることも可能であり、これによって、実際の電動ブラインドの四隅よりも余裕を持った座標とすることもできる。
【００２６】
尚、座標系は、ある面ＩＤで識別される自建物の壁面を考えるときに、その壁面の水平方向の軸をＸ軸、高さ方向の軸をＹ軸とする。
【００２７】
日影ファイル１２６には、図２（ｃ）に示すように、年月日、時分、面ＩＤ、面ＩＤ内の日影の数、日影を形成する図形の頂点の座標といった、日影を形成する複数の線分に関する情報が格納される。この日影ファイル１２６の日影を形成する図形の頂点の座標は、日影判定装置１０の記憶部１２に格納される市販の公知の日影計算プログラムによって計算される。日影計算プログラムは、電動ブラインドが設定される自建物の壁面に投影物によって投影される日影を求めるものである。投影物とは、自建物を日影にする原因となるもので、自建物の近隣にある他建物とする他、自建物が自建物自身に日影を生成する場合には自建物も含む。図示の例の場合、ある壁面にできる２つの日影のうちの一方の日影を形成する図形の頂点の座標が（ｘ１１，ｙ１１）、（ｘ１２，ｙ１２）、（ｘ１３，ｙ１３）、（ｘ１４，ｙ１４）であり、他方の日影の頂点が（ｘ２１，ｙ２１）、（ｘ２２，ｙ２２）、（ｘ２３，ｙ２３）、（ｘ２４，ｙ２４）、（ｘ２５，ｙ２５）、（ｘ２６，ｙ２６）、（ｘ２７，ｙ２７）、（ｘ２８，ｙ２８）である。
【００２８】
日影判定ファイル１２８には、図２（ｄ）に示すように、年月日、時分、面ＩＤ、フロア、ユニットＮｏ、日向／日影フラグといったユニットがその年月日及び時分で決まる所定時間に日影内にあるか否かに関する情報が格納される。例えば、日向／日影フラグとしては、データ「０」であれば日向、データ「１」であれば日影とすることができる。また、この日影判定ファイル１２８は、例えば、年月日毎に１つのファイルとし、複数のファイルで構成することもできる。
【００２９】
図４は、本発明の日影判定方法の基本的考え方を示す説明図である。まず、ある面ＩＤで定まる壁面と同一面上にある定点を自建物から離れた遠方の点として予め定める。そして、判定対象になっているユニットである電動ブラインドの四隅の１つの隅から定点に向かう線を考える。この線と日影を形成している複数の線分との交点の総和を数える。交点の総和が０を含む偶数の場合には、そのブラインドの隅は、日向、即ち日影外に位置し、奇数の場合には、日影内に位置すると判定する。この判定を、電動ブラインドの四隅についてすべて行い、四隅の全てが日影内にあるときに、日影になるとし、即ち、日向／日影フラグを「１」とする。四隅の内の１つでも日影外にあれば、日向であるとし、日向／日影フラグを「０」とする。日影の数が２個以上であっても、判定方法は同じである。
【００３０】
例えば、図４において、電動ブラインド１では、四隅全てにおいて交点の数が２個であるので、日向判定となり、電動ブラインド２では、四隅全てにおいて交点の数が１個であるので、日影判定となり、電動ブラインド３では、交点の数が１個となる隅もあるが、交点の数が２つの隅もあるので、日向判定となる。
【００３１】
また、図５に示すように、電動ブラインドの四隅の少なくとも１つの隅が日影の形状を形成する線分上にある場合については、その線分との交点はなしとする。
【００３２】
例えば、電動ブラインド４では、四隅全てにおいて交点の数が１個となるので、日影判定となり、電動ブラインド５では、右上の隅以外については交点の数が１個であるが、右上の隅についてのみ交点の数が０個となるため、日向判定となる。
【００３３】
次に、交点の数の算出方法について説明する。以下のように各座標を表すものとする。
Ｘ１：  判定対象のブラインドの着目した一つの隅のＸ座標
Ｙ１：  判定対象のブラインドの着目した一つの隅のＹ座標
Ｘ０：  定点のＸ座標
Ｙ０：  定点のＹ座標
ｘ１：  日影を形成する着目した一つの線分の始点のＸ座標
ｙ１：  日影を形成する着目した一つの線分の始点のＹ座標
ｘ２：  日影を形成する着目した一つの線分の終点のＸ座標
ｙ２：  日影を形成する着目した一つの線分の終点のＹ座標
上記座標を用いて、以下の計算式により、ＴＡ、ＴＢ、ＴＣ、ＴＤの値を求める。
ＴＡ＝（ｘ１−ｘ２）＊（Ｙ１−ｙ１）＋（ｙ１−ｙ２）＊（ｘ１−Ｘ１）  （１）
ＴＢ＝（ｘ１−ｘ２）＊（Ｙ０−ｙ１）＋（ｙ１−ｙ２）＊（ｘ１−Ｘ０）  （２）
ＴＣ＝（Ｘ１−Ｘ０）＊（ｙ１−Ｙ１）＋（Ｙ１−Ｙ０）＊（Ｘ１−ｘ１）  （３）
ＴＤ＝（Ｘ１−Ｘ０）＊（ｙ２−Ｙ１）＋（Ｙ１−Ｙ０）＊（Ｘ１−ｘ２）  （４）
交点の判定は、
（ＴＡ＊ＴＢ）＜０、（ＴＣ＊ＴＤ）＜０                                （５）
が共に成り立つ場合に、電動ブラインドの着目した一つの隅と定点とを結ぶ線分が、日影を形成する着目した一つの線分と、交点が有ると判定する。
【００３４】
以上の判定を、日影を形成する全ての線分について行い総和を求める。このように交点の総和が偶数か奇数かによって各隅が日影に位置するかどうかを判定することにより、簡単な処理で日影判定を行なうことができるようになる。
【００３５】
以上のように各ユニットの四隅位置の全てを日影判定を行なう設定位置とすることも可能であるが、四隅の少なくとも１つを日影判定を行なう設定位置とすることも可能である。いずれにしても、各ユニットの四隅の少なくとも１つを日影判定を行なう設定位置とすることによって、大きな開口部に個別的に動作可能な複数の電動ブラインドが取付けられている場合に、それぞれの電動ブラインドに対して日影にあるかどうかを判断することができる。
【００３６】
図６は、日影判定装置１０で行われる判定処理のフローチャートである。開始ボタンがクリックされると（ステップＳ１０）、電動ブラインド構成ファイル１２２の全てのフロアのデータを読み込み（ステップＳ１２）、電動ブラインド座標データファイル１２４の電動ブラインド（またはユニット）の基準点の座標データを読み込み（ステップＳ１４）、日影ファイル１２６のレコードを１つずつ読み出す（ステップＳ１６）。次いで、フロアループに入り、且つフロア内のユニットループに入り、日影ファイル１２６から読み出したレコードの面ＩＤと同じであるかどうかを判定し（ステップＳ２２）、同じである場合には、その電動ブラインドが日影にあるか日向にあるかを前述の判定方法に基づき、図７のフローチャートにより求める。
【００３７】
図７において、基準点から各隅座標を算出し設定位置を決定し（ステップＳ４０）、各隅について、交点数Ｎ＝０とセットし（ステップＳ４４）、日影を形成する各線分に対して、ＴＡ、ＴＢ、ＴＣ、ＴＤを前述の（１）式から（４）式に従い算出し（ステップＳ４８）、（５）式を満足するかどうかを判定し（ステップＳ５０）、満足する場合には、Ｎ＝Ｎ＋１とし、全線分に対してステップＳ４６〜Ｓ５４を繰り返す。そして、Ｎが偶数か否かを判定し（ステップＳ５６）、偶数である場合には、その隅は日向にあることを意味するので、日向／日影フラグ＝０とする（ステップＳ５８）。ステップＳ５６の判定で、Ｎが奇数である場合には、四隅に対してステップＳ４２〜Ｓ５６を繰り返して、Ｎが奇数である場合には、四隅全てが日影にあることを意味するので、日向／日影フラグ＝１とする（ステップＳ６２）。
【００３８】
図６に戻り、図７の日影判定結果を日影判定ファイル１２８に書き込む（ステップＳ２６）。
【００３９】
そして以上のステップＳ２０〜Ｓ２８を各フロアの全ユニットについて繰り返し、ステップＳ１６〜Ｓ３０を全フロアについて繰り返して、ステップＳ１６〜Ｓ３２を日影ファイル１２６の各レコードについて繰り返して、終了する。
【００４０】
尚、あるユニットについて、日影制御を行うことが希望されない場合には、そのユニットＮｏ．は電動ブラインド座標データファイル１２４に入力しないようにする。すると、そのユニットＮｏ．についての日影判定を行なうことができないために、日影判定ファイル１２８にそのユニットについてのデータが作成されないので、日影制御を自動的に行なわないようにすることができる。または、電動ブラインド構成ファイル１２２において、日影制御を行うかどうかの入力をする項目を設けて識別することも可能である。
【００４１】
日影判定ファイル１２８は、日影ファイル１２６の年月日、時分に対応して作成される。例えば、日影ファイル１２６に１年分のデータが格納されていれば、日影判定ファイル１２８も１年分のデータを作成することができる。投影物の状況が変化しない限り、各年で日影、日向の状況は変化しないと考えられるので、１年分のデータを一度作成してしまえば、さらなる日影判定処理は不要となる。閏年についてのみ、２月２９日については２月２８日または３月１日のデータを用いればよい。
【００４２】
こうして、作成された日影判定ファイル１２８は、記憶部１２に格納されると共に、記憶媒体駆動装置１４によって記憶媒体１６にも格納されて、記憶媒体１６を介して電動ブラインドの自動制御を行なう電動ブラインド開閉制御システム２０にセットアップされる。また、日影判定装置１０で用いた電動ブラインド構成ファイル１２２も、同じファイルが電動ブラインド開閉制御システム２０に格納される。
【００４３】
図８に示すように、電動ブラインド開閉制御システム２０は、電動ブラインドが設定される自建物内に設けられ、中央制御装置２１と、メインバス２５で中央制御装置２１と接続される複数のフロア制御装置２２と、フロアバス２６を介してフロア制御装置２２と接続される複数のブラインド制御装置２３と、各ブラインド制御装置２３に接続される電動ブラインド２４と、から構成される。
【００４４】
中央制御装置２１は、ＣＰＵと、メモリと、メインバス２５を介してフロア制御装置２２との信号を入出力するＩ／Ｏと、を備える。中央制御装置２１のメモリには、前記日影判定装置１０によって判定され、記憶媒体１６を介してセットアップされた日影判定ファイルが格納され、また電動ブラインド２４のための開度を決定する自動制御プログラムが格納される。自動制御プログラムは所定時間毎に起動されて、その時間に適した電動ブラインド２４のための開度を決定する。このとき、日影制御を行う必要がある電動ブラインドについては、日影判定装置１０によって判定された日影判定結果に基づき、日影制御を行う。
【００４５】
フロア制御装置２２は、自建物の各フロアに１台相当設置され、中央制御装置２１から出力される開度指令がそのフロアに対応する電動ブラインドへの指令である場合に、その開度指令をフロアバス２６へと送るものである。
【００４６】
ブラインド制御装置２３は、各ユニットに対応しており、前記開度指令に対応して、各ユニットの動作を行なわせるモータ等の駆動装置の駆動信号を送出する。
【００４７】
電動ブラインド２４は、横型ブラインド、ロールスクリーン、カーテン、シャッタ等の任意の電動開閉装置とすることができる。
【００４８】
前述のように、中央制御装置２１の自動制御プログラムは所定時間毎に起動されて、各電動ブラインド２４についての開度を決定して、メインバス２６を介してその開度指令を送信し、その際に、日影にある電動ブラインドについて日影に対応した開度の決定を行なう。
【００４９】
図９はその一例を表すフローチャートである。対象となる部屋が直達か非直達を判定し（ステップＳ７０）、非直達である場合には、開度が大きくなる非直達指令を開度指令として送信する（ステップＳ７２）。直達である場合には、その対象の部屋内に日影内にあるユニットが存在するか否かを判定し（ステップＳ７４）、次いで、その日影内にあるユニットを除くその対象の部屋のユニットに対して、日射を遮蔽する日射遮蔽指令を開度指令として送信する（ステップＳ７６）。さらに、対象となる部屋に日影内にあるユニットが存在するか否かを判定して（ステップＳ７８）、そのユニットに対して開度が大きくなる日影用指令を開度指令として送信する（ステップＳ８０）。
【００５０】
このようにして、日影内にある電動ブラインドに対して、適切な開度制御を行なうことができるようになる。ユニットの四隅を日影判定を行なう設定位置としているので、各ユニットに応じて適切な動作をさせることができ、室内に外光を多く採り入れるように制御することができるようになる。
【００５１】
尚、以上説明した例では、日影判定装置１０と、日影制御を行なう電動ブラインド開閉制御システム２０とが別個の装置であったが、これに限るものではなく、電動ブラインド開閉制御システム２０が日影判定装置１０を兼ねることも可能である。また、以上説明した例では、日影判定装置１０は、１年分についてまとめて各電動ブラインドの日影判定を行うバッチ処理を行なっていたが、これに限るものではなく、電動ブラインド開閉制御システムにおいて自動制御を行なう際に、その時点における電動ブラインドの日影判定を行なうリアルタイム処理とすることも可能である。
【図面の簡単な説明】
【００５２】
【図１】本発明の実施形態にかかる日影判定装置の構成を表すブロック図である。
【図２】日影判定装置の記憶部に格納されるファイルの構成例である。
【図３】電動ブラインドの基準点とブラインド幅と高さによって決まる四隅の座標を表す図である。
【図４】本発明の日影判定方法の基本的考え方を示す説明図である。
【図５】本発明の日影判定方法の基本的考え方を示す説明図である。
【図６】日影判定装置で行われる処理のフローチャートである。
【図７】図６の日影判定処理のフローチャートである。
【図８】電動ブラインド開閉制御システムのブロック図である。
【図９】電動ブラインド開閉制御システムで行なわれる自動制御のフローチャートである。
【図１０】従来の日影判定処理を表す説明図である。
【図１１】従来の日影判定処理を表す説明図である。
【符号の説明】
【００５３】
１０  日影判定装置
１２  記憶部
２４  電動ブラインド
【図１】
2008050915.tif 000003
【図２】
2008050915.tif 000004
【図３】
2008050915.tif 000005
【図４】
2008050915.tif 000006
【図５】
2008050915.tif 000007
【図６】
2008050915.tif 000008
【図７】
2008050915.tif 000009
【図８】
2008050915.tif 000010
【図９】
2008050915.tif 000011
【図１０】
2008050915.tif 000012
【図１１】
2008050915.tif 000013